【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
充電可能デバイスを充電するためのワイヤレス電力受信機装置であって、
前記充電可能デバイスを充電するのに十分なレベルで電力をワイヤレス受信するように構成された受信アンテナと、
前記受信アンテナに結合された変換器回路であって、
前記変換器回路の入力部において、前記ワイヤレス受信された電力から導出された入力電圧を受け取り、
前記変換器回路の出力部において、前記入力電圧と第1の電圧レベルしきい値との間の第1の関係に基づいて前記入力電圧にほぼ等しい第1の出力電圧を生成するために第1のモードで動作し、
前記変換器回路の前記出力部において、前記入力電圧と前記第1の電圧レベルしきい値との間の第2の関係に基づいて前記入力電圧に対するある値にスケーリングされた第2の出力電圧を生成するために第2のモードで動作する
ように構成された変換器回路と
を含む、ワイヤレス電力受信機装置。
【請求項２】
前記第1の電圧レベルしきい値が、前記充電可能デバイスの過電圧保護回路または低電圧検出回路によって少なくとも部分的に設定される、請求項1に記載のワイヤレス電力受信機装置。
【請求項３】
前記変換器回路は、第2の電圧レベルしきい値未満の値に制限された前記第2の出力電圧を生成するように構成される、請求項1に記載のワイヤレス電力受信機装置。
【請求項４】
前記第1の電圧レベルしきい値は、前記第2の電圧レベルしきい値のスケーリングされた値である、請求項3に記載のワイヤレス電力受信機装置。
【請求項５】
前記第1の電圧レベルしきい値は、前記第2の電圧レベルしきい値の前記値の半分である、請求項4に記載のワイヤレス電力受信機装置。
【請求項６】
前記変換器回路は、前記入力電圧の半分である値にスケーリングされた前記第2の出力電圧を選択的に生成するように構成される、請求項1に記載のワイヤレス電力受信機装置。
【請求項７】
前記変換器回路は、前記入力電圧に対するある値にスケーリングされた前記第2の出力電圧を生成するように構成されたチャージポンプ回路を含む、請求項1に記載のワイヤレス電力受信機装置。
【請求項８】
前記チャージポンプ回路は、入力電圧を前記第1の電圧レベルしきい値と比較するように構成されたコンパレータ回路を含み、前記入力電圧に対するある値にスケーリングされた前記第2の出力電圧を生成するように前記チャージポンプ回路を構成する、請求項7に記載のワイヤレス電力受信機装置。
【請求項９】
前記チャージポンプ回路は、前記入力電圧に、ある有理数に等しいスケーリング係数を掛けるように構成される、請求項8に記載のワイヤレス電力受信機装置。
【請求項１０】
前記入力電圧が前記第1の電圧レベルしきい値を超えるときの前記スケーリング係数は、前記入力電圧が前記第1の電圧レベルしきい値以下であるときの前記スケーリング係数と異なる、請求項9に記載のワイヤレス電力受信機装置。
【請求項１１】
前記変換器回路は、マスター回路および少なくとも1つのスレーブ回路を含み、前記少なくとも1つのスレーブ回路は、前記マスター回路のクロック信号に同期される、請求項1に記載のワイヤレス電力受信機装置。
【請求項１２】
前記マスター回路および少なくとも1つのスレーブ回路の各々は、前記入力電圧に対するある値にスケーリングされた前記第2の出力電圧を生成するように構成されたチャージポンプ回路を含む、請求項11に記載のワイヤレス電力受信機装置。
【請求項１３】
前記マスター回路は、入力電圧を前記第1の電圧レベルしきい値と比較するように構成されたコンパレータ回路を含み、前記入力電圧に対するある値にスケーリングされた前記第2の出力電圧を生成するように前記マスター回路および前記少なくとも1つのスレーブ回路を構成する、請求項12に記載のワイヤレス電力受信機装置。
【請求項１４】
前記マスター回路および少なくとも1つのスレーブ回路の各々は、前記入力電圧に、ある有理数に等しいスケーリング係数を掛けるように構成される、請求項13に記載のワイヤレス電力受信機装置。
【請求項１５】
前記入力電圧が前記第1の電圧レベルしきい値を超えるときのスケーリング係数は、前記入力電圧が前記第1の電圧レベルしきい値以下であるときのスケーリング係数と異なる、請求項14に記載のワイヤレス電力受信機装置。
【請求項１６】
充電可能デバイスを充電するためのワイヤレス電力受信機装置であって、
前記充電可能デバイスを充電するのに十分なレベルで電力をワイヤレス受信するための手段と、
電力をワイヤレス受信するための前記手段に結合された、前記ワイヤレス受信された電力から導出された入力電圧を受け取るための手段と、
前記入力電圧と第1の電圧レベルしきい値との間の第1の関係に基づいて前記入力電圧にほぼ等しい、入力電圧を受け取るための前記手段からの第1の出力電圧を生成するための手段と、
前記入力電圧と前記第1の電圧レベルしきい値との間の第2の関係に基づいて前記入力電圧に対するある値にスケーリングされた、入力電圧を受け取るための前記手段からの第2の出力電圧を生成するための手段と
を含む、ワイヤレス電力受信機装置。
【請求項１７】
前記第1の電圧レベルしきい値が、前記充電可能デバイスの過電圧保護回路または低電圧検出回路によって少なくとも部分的に設定される、請求項16に記載のワイヤレス電力受信機装置。
【請求項１８】
前記第2の出力電圧を生成するための前記手段は、第2の電圧レベルしきい値未満の値に制限された前記第2の出力電圧を生成するように構成される、請求項16に記載のワイヤレス電力受信機装置。
【請求項１９】
充電可能デバイスを充電するための方法であって、
受信アンテナにおいて前記充電可能デバイスを充電するのに十分なレベルで電力をワイヤレス受信するステップと、
前記受信アンテナに結合された変換器回路において前記ワイヤレス受信された電力から導出された入力電圧を受け取るステップと、
前記入力電圧と第1の電圧レベルしきい値との間の第1の関係に基づいて前記入力電圧にほぼ等しい、前記変換器回路からの第1の出力電圧を生成するステップと、
前記入力電圧と前記第1の電圧レベルしきい値との間の第2の関係に基づいて前記入力電圧に対するある値にスケーリングされた、前記変換器回路からの第2の出力電圧を生成するステップと
を含む、方法。
【請求項２０】
前記第1の電圧レベルしきい値が、前記充電可能デバイスの過電圧保護回路または低電圧検出回路によって少なくとも部分的に設定される、請求項19に記載の方法。
【請求項２１】
前記変換器回路は、第2の電圧レベルしきい値未満の値に制限された前記第2の出力電圧を生成するように構成される、請求項19に記載の方法。
【請求項２２】
前記第1の電圧レベルしきい値は、前記第2の電圧レベルしきい値のスケーリングされた値である、請求項21に記載の方法。
【請求項２３】
前記第1の電圧レベルしきい値は、前記第2の電圧レベルしきい値の前記値の半分である、請求項22に記載の方法。
【請求項２４】
前記変換器回路は、前記入力電圧の半分である値にスケーリングされた前記第2の出力電圧を生成するように構成される、請求項19に記載の方法。
【請求項２５】
前記変換器回路は、前記入力電圧に対するある値にスケーリングされた前記第2の出力電圧を生成するように構成されたチャージポンプ回路を含む、請求項19に記載の方法。
【請求項２６】
前記チャージポンプ回路は、入力電圧を前記第1の電圧レベルしきい値と比較するように構成されたコンパレータ回路を含み、前記入力電圧に対するある値にスケーリングされた前記第2の出力電圧を生成するように前記チャージポンプ回路を構成する、請求項25に記載の方法。
【請求項２７】
前記チャージポンプ回路は、前記入力電圧に、ある有理数に等しいスケーリング係数を掛けるように構成される、請求項26に記載の方法。
【請求項２８】
前記入力電圧が前記第1の電圧レベルしきい値を超えるときのスケーリング係数は、前記入力電圧が前記第1の電圧レベルしきい値以下であるときのスケーリング係数と異なる、請求項27に記載の方法。
【請求項２９】
前記変換器回路は、マスター回路および少なくとも1つのスレーブ回路を含み、前記少なくとも1つのスレーブ回路は、前記マスター回路のクロック信号に同期される、請求項19に記載の方法。
【請求項３０】
前記マスター回路および少なくとも1つのスレーブ回路の各々は、前記入力電圧に対するある値にスケーリングされた前記第2の出力電圧を生成するように構成されたチャージポンプ回路を含む、請求項29に記載の方法。